(57)【要約】【課題】吐出口の高さの制限を受けることなく、水の上昇量に応じた高さから水を吐出することができる洗濯機を提供する。【解決手段】本実施形態に係る洗濯機は、水槽と、前記水槽内に回転可能に設けられる回転槽と、前記回転槽の内周面に設けられ、前記回転槽の軸方向に沿って延びる揚水ダクトと、前記回転槽の底部に回転可能に設けられるパルセータと、前記パルセータの裏面に設けられ、前記パルセータとともに回転することにより前記水槽内の水を前記揚水ダクトを通して上昇させる裏羽根と、前記揚水ダクトに設けられ、前記裏羽根により前記揚水ダクト内を上昇する水を前記回転槽内に吐出する吐出口と、を備え、前記吐出口は、水平方向以外の方向に延びる非水平部を有する。【選択図】図１
2017196030.tif 000002
【特許請求の範囲】
【請求項１】
水槽と、
前記水槽内に回転可能に設けられる回転槽と、
前記回転槽の内周面に設けられ、前記回転槽の軸方向に沿って延びる揚水ダクトと、
前記回転槽の底部に回転可能に設けられるパルセータと、
前記パルセータの裏面に設けられ、前記パルセータとともに回転することにより前記水槽内の水を前記揚水ダクトを通して上昇させる裏羽根と、
前記揚水ダクトに設けられ、前記裏羽根により前記揚水ダクト内を上昇する水を前記回転槽内に吐出する吐出口と、を備え、
前記吐出口は、水平方向以外の方向に延びる非水平部を有する洗濯機。
【請求項２】
前記揚水ダクトは、前記非水平部を有する前記吐出口を複数備える請求項１に記載の洗濯機。
【請求項３】
前記非水平部は、スリット状に開口している請求項１または２に記載の洗濯機。
【請求項４】
前記非水平部は、前記揚水ダクトの水平方向の端部に設けられている請求項１から３の何れか１項に記載の洗濯機。
【請求項５】
前記非水平部は、直線形状以外の形状である非直線形状に開口する請求項１から４の何れか１項に記載の洗濯機。
【請求項６】
前記非水平部は、前記揚水ダクトの水平方向の端部に向かって膨らむ形状である請求項５に記載の洗濯機。
【請求項７】
前記非水平部は、前記揚水ダクトの上端部に向かって膨らむ形状である請求項５に記載の洗濯機。
【請求項８】
前記揚水ダクトは、水平方向に延びる水平部を有する吐出口をさらに備えた請求項１から７の何れか１項に記載の洗濯機。
【請求項９】
前記水平部は、スリット状に開口している請求項８に記載の洗濯機。
【請求項１０】
前記非水平部の開口面積は、前記水平部の開口面積よりも大きい請求項８または９に記載の洗濯機。
【請求項１１】
前記揚水ダクトは、前記水平部を有する吐出口を複数備え、これら水平部を有する吐出口の間に前記非水平部を有する吐出口を備えた請求項８から１０の何れか１項に記載の洗濯機。
【請求項１２】
前記揚水ダクトは、前記回転槽の内方に向かって膨らんでいる請求項１から１０の何れか１項に記載の洗濯機。
【請求項１３】
前記回転槽は、複数の前記揚水ダクトを備え、
複数の前記揚水ダクトは、それぞれ異なる配置パターンにより前記吐出口を配置している請求項１から１２の何れか１項に記載の洗濯機。
【発明の詳細な説明】
【技術分野】
【０００１】
本発明の実施形態は、洗濯機に関する。
【背景技術】
【０００２】
例えば特許文献１に開示されているように、裏羽根を有するパルセータを回転させることにより水槽内の水を揚水ダクトを通して上昇させ、その上昇させた水を上方から回転槽内に吐出することを可能とした洗濯機が考えられている。この構成によれば、回転槽内の洗濯物に上方から水をかけることができ、これにより、洗濯物の洗浄性を高めることができる。
【先行技術文献】
【特許文献】
【０００３】
【特許文献１】特開２０１２−５５５４６号公報
【発明の概要】
【発明が解決しようとする課題】
【０００４】
ところで、従来の洗濯機において、水の吐出口は、水平方向に沿ってスリット状に開口しており、且つ、このような水平方向に延びるスリット状の吐出口が揚水ダクトの上下方向に沿って複数、例えば、上段、中段、下段の３段に分かれて設けられた構成となっている。そのため、例えば水槽内の水を下段の吐出口よりも高く上昇させたとしても、その上昇量が中段の吐出口の高さに到達しない場合には、下段の吐出口からは水を吐出できるものの、上段および中段の吐出口からは水を吐出することができない。つまり、従来の構成では、水を吐出する高さが吐出口の高さに制限されてしまい、水の上昇量に応じた高さから水を吐出することができない。
【０００５】
そこで、吐出口の高さの制限を受けることなく、水の上昇量に応じた高さから水を吐出することができる洗濯機を提供する。
【課題を解決するための手段】
【０００６】
本実施形態に係る洗濯機は、水槽と、回転槽と、揚水ダクトと、パルセータと、裏羽根と、吐出口と、を備える。回転槽は、前記水槽内に回転可能に設けられている。揚水ダクトは、前記回転槽の内周面に設けられ、前記回転槽の軸方向に沿って延びている。パルセータは、前記回転槽の底部に回転可能に設けられている。裏羽根は、前記パルセータの裏面に設けられ、前記パルセータとともに回転することにより前記水槽内の水を前記揚水ダクトを通して上昇させる。吐出口は、前記揚水ダクトに設けられ、前記裏羽根により前記揚水ダクト内を上昇する水を前記回転槽内に吐出する。そして、前記吐出口は、水平方向以外の方向に延びる非水平部を有する。
【図面の簡単な説明】
【０００７】
【図１】本実施形態に係る洗濯機の構成例を概略的に示す縦断側面図
【図２】吐出部の第１構成例を概略的に示す揚水ダクトの正面図
【図３】吐出部の第２構成例を概略的に示す揚水ダクトの正面図
【図４】吐出部の第３構成例を概略的に示す揚水ダクトの正面図
【図５】吐出部の第４構成例を概略的に示す揚水ダクトの正面図
【図６】吐出部の第５構成例を概略的に示す揚水ダクトの正面図
【図７】吐出部の第６構成例を概略的に示す揚水ダクトの正面図
【図８】吐出部の第７構成例を概略的に示す揚水ダクトの正面図
【図９】吐出部の第８構成例を概略的に示す揚水ダクトの正面図（その１）
【図１０】吐出部の第８構成例を概略的に示す揚水ダクトの正面図（その２）
【図１１】吐出部の第９構成例を概略的に示す揚水ダクトの正面図
【図１２】吐出部の第１０構成例を概略的に示す揚水ダクトの正面図
【図１３】吐出部の第１１構成例を概略的に示す揚水ダクトの正面図
【図１４】吐出部の第１２構成例を概略的に示す揚水ダクトの正面図
【図１５】吐出部の第１３構成例を概略的に示す揚水ダクトの正面図
【図１６】吐出部の第１４構成例を概略的に示す揚水ダクトの断面図
【図１７】吐出部の第１５構成例を概略的に示す揚水ダクトの断面図
【図１８】吐出部の第１６構成例を概略的に示すものであり、回転槽を仮想的に示す斜視図
【発明を実施するための形態】
【０００８】
以下、洗濯機に係る一実施形態について図面を参照しながら説明する。図１に例示する洗濯機１０は、回転槽の回転中心軸が垂直方向に延びる、いわゆる縦軸型の洗濯機である。洗濯機１０は、その外郭を構成する外箱１１の内部に、上面が開放した有底円筒状の水槽１２を備える。水槽１２は、弾性吊持機構１３によって弾性的に支持されている。外箱１１の内部には、図示しない給水機構部が設けられている。水槽１２の内部には、この給水機構部から供給される水が貯留される。水槽１２の内部には、上面が開放した有底円筒状の回転槽１４が回転可能に設けられている。
【０００９】
回転槽１４は、垂直な軸線を中心に回転するように構成されており、洗濯物を洗う洗い行程および洗濯物をすすぐすすぎ行程における洗濯槽、および、洗濯物を脱水する脱水行程における脱水槽として兼用される。回転槽１４の内部の底部には、パルセータ１５が回転可能に設けられている。パルセータ１５の裏面、つまり、回転槽１４の底部に対向する面には、複数枚の裏羽根１６が設けられている。裏羽根１６は、パルセータ１５の裏面の中心部から周端部に向かって放射状に延びている。回転槽１４の底部の上面とパルセータ１５の裏面との間にはポンプ室１７が形成されている。裏羽根１６は、このポンプ室１７内に収容されている。
【００１０】
水槽１２の下部の中央部には駆動機構部１８が設けられている。この駆動機構部１８は、可変速駆動が可能なモータ、クラッチ機構、ブレーキ装置などを備えている。洗い行程時またはすすぎ行程時においては、駆動機構部１８は、モータの回転力を、クラッチ機構によってパルセータ１５に伝達する。脱水行程時においては、駆動機構部１８は、モータの回転力を、クラッチ機構によって回転槽１４およびパルセータ１５に高速で伝達する。
【００１１】
そして、回転槽１４の内周面には、当該回転槽１４の軸方向、つまり、上下方向に沿って延びる揚水ダクト２１が設けられている。揚水ダクト２１の下端部は、ポンプ室１７に連通されている。パルセータ１５が回転すると、当該パルセータ１５とともに裏羽根１６がポンプ室１７内において回転する。そして、ポンプ室１７内において回転する裏羽根１６により、ポンプ室１７内の水が当該ポンプ室１７の外周側、つまり、揚水ダクト２１側に押し出されるようになり、これにより、ポンプ室１７内の水が揚水ダクト２１を通して上昇するようになる。即ち、洗濯機１０は、ポンプ室１７内において裏羽根１６を回転させることにより水槽１２内の水を揚水ダクト２１を通して上昇させるポンプ機能を備えている。
【００１２】
また、揚水ダクト２１には、吐出部２２が設けられている。吐出部２２は、裏羽根１６を回転させることによるポンプ機能により揚水ダクト２１内を上昇する水を、回転槽１４内に吐出する要素である。即ち、洗濯機１０は、水槽１２内の水を揚水ダクト２１を通して上昇させ吐出部２２から回転槽１４内に吐出する循環機能を有している。
【００１３】
本実施形態に係る洗濯機１０は、この吐出部２２の構成に特徴を有している。次に、吐出部２２の複数の構成例について説明する。
（吐出部の第１構成例）
図２に例示する構成例では、吐出部２２は、水平方向に延びる水平吐出口３１、および、水平方向以外の方向、この場合、垂直方向に延びる垂直吐出口３２を備える。水平吐出口３１は、水平部の一例であり、この場合、水平吐出口３１の全体が、水平方向に延びる水平部として機能する。水平吐出口３１は、複数、この場合、揚水ダクト２１の垂直方向に沿って、上下２段に分かれて２つ設けられており、何れも水平方向に延びるスリット状の開口となっている。
【００１４】
垂直吐出口３２は、非水平部の一例であり、この場合、垂直吐出口３２の全体が、水平方向以外の方向である垂直方向に延びる非水平部として機能する。垂直吐出口３２は、複数、この場合、揚水ダクト２１の水平方向の左右に分かれて２つ設けられており、何れも垂直方向に延びるスリット状の開口となっている。また、垂直吐出口３２は、上段の水平吐出口３１と下段の水平吐出口３１との間に設けられている。
【００１５】
この構成例によれば、揚水ダクト２１内を上昇する水が下段の水平吐出口３１の高さを超えた場合には、その水の上昇量が上段の水平吐出口３１の高さに到達しない場合であっても、垂直吐出口３２から水を吐出させることができる。即ち、水平吐出口３１の高さの制限を受けることなく、垂直吐出口３２から、水の上昇量に応じた高さから水を吐出することができる。これにより、回転槽１４内に同時により多くの水を吐出することができ、洗濯物の洗浄性を一層高めることができる。
【００１６】
また、垂直吐出口３２は、細長いスリット状に開口している。そのため、垂直吐出口３２から吐出される水は、当該垂直吐出口３２を通過する際に絞られるような態様となり、これにより、垂直吐出口３２から、より遠くまで水を吐出させることができる。また、水平吐出口３１も、細長いスリット状に開口しているため、当該水平吐出口３１からも、より遠くまで水を吐出させることができる。
【００１７】
また、揚水ダクト２１の上端部まで水が到達した場合には、その水を上段の水平吐出口３１から吐出することができ、より高い位置から、より広範囲にわたって水を吐出させることができる。
【００１８】
（吐出部の第２構成例）
図３に例示する構成例は、垂直吐出口３２の配置位置を、上述の図２に例示する構成例に比べ、揚水ダクト２１の左右両端部に近付けたものである。図３に破線Ｗで示すように、揚水ダクト２１内を上昇する水は、その主となる水流が揚水ダクト２１の水平方向の中心部を通る。そして、揚水ダクト２１内を上昇する水は、この主となる水流から水平方向に分かれるようにして分散していく。よって、垂直吐出口３２を揚水ダクト２１の左右両端部に近付けた構成によれば、主となる水流から水平方向に分かれるようにして分散する水が垂直吐出口３２から吐出されやすくなる。これにより、回転槽１４内の広範囲にわたって水を吐出することができ、洗濯物の洗浄性を一層高めることができる。
【００１９】
（吐出部の第３構成例）
図４に例示する構成例では、吐出部２２は、混合吐出口３３を備えている。混合吐出口３３は、上述した水平吐出口３１および垂直吐出口３２を混合した形態の吐出口であり、具体的には、下段の水平吐出口３１の左右方向の両端部に垂直吐出口３２を連続させた開口形状となっている。混合吐出口３３は、その一部が水平吐出口３１、つまり、水平方向に開口する水平部として機能する。また、混合吐出口３３は、その一部が垂直吐出口３２、つまり、水平方向以外の方向である垂直方向に開口する非水平部として機能する。
【００２０】
この構成例によっても、水平方向に開口する水平部の高さの制限を受けることなく、非水平方向に開口する非水平部から、水の上昇量に応じた高さから水を吐出することができる。これにより、回転槽１４内に同時により多くの水を吐出することができ、洗濯物の洗浄性を一層高めることができる。
【００２１】
なお、混合吐出口は、図４に示す構成例に限られるものではなく、その一部に水平部および非水平部を有する形状であれば、種々の形状を採用することができる。例えば、混合吐出口は、水平吐出口３１の左右方向の両端部のうち一端部のみに垂直吐出口３２を連続させた開口形状としてもよい。また、混合吐出口は、水平吐出口３１の左右方向の中間部に垂直吐出口３２を連続させた開口形状としてもよい。また、混合吐出口は、上段の水平吐出口３１に垂直吐出口３２を連続させた開口形状としてもよい。また、混合吐出口は、水平吐出口３１に３つ以上の複数の垂直吐出口３２を連続させた開口形状としてもよい。
【００２２】
（吐出部の第４構成例）
図５に例示する構成例では、吐出部２２は、２つの水平吐出口３１に対し、５つの垂直吐出口３２を備えている。即ち、垂直吐出口３２の数を水平吐出口３１の数よりも多くしている。この構成例によれば、非水平部として機能する垂直吐出口３２の総開口面積は、水平部として機能する水平吐出口３１の総開口面積よりも大きくなる。即ち、水の上昇量に応じた高さから水を吐出することができる吐出口の開口面積を大きく確保することができ、回転槽１４内に同時により多くの水を吐出することができるようになる。
【００２３】
（吐出部の第５構成例）
図６に例示する構成例は、上述の第４構成例において、下段の水平吐出口３１の下方に、さらに垂直吐出口３２を追加した構成となっている。この構成例によれば、水の上昇量に応じた高さから水を吐出することができる吐出口の開口面積をさらに大きく確保することができ、回転槽１４内に同時により多くの水を吐出することができるようになる。また、揚水ダクト２１内を上昇する水が下段の水平吐出口３１の高さに到達しない場合であっても、当該下段の水平吐出口３１よりも低い位置にある垂直吐出口３２から水を吐出することができる。
【００２４】
（吐出部の第６構成例）
図７に例示する構成例では、吐出部２２は、水平吐出口３１を備えておらず、垂直吐出口３２のみを備えている。この構成例によれば、揚水ダクト２１内における水の上昇量の高低に関わらず、揚水ダクト２１内を流れる水を、ほぼ同時に回転槽１４内に吐出することができる。
【００２５】
また、吐出部２２は、揚水ダクト２１内を上昇する水の主流に対応する水平方向の中心部、および、この主流から分かれて分散する水が向かう左右方向の両端部に、より多くの垂直吐出口３２を配置している。この構成例によれば、水の主流に対応する左右方向の中心部の垂直吐出口３２から効率良く水を吐出することができ、また、主流から分散する水も、左右方向の両端部の垂直吐出口３２から効率良く吐出することができる。
【００２６】
また、吐出部２２、揚水ダクト２１の上端部側に、より多くの垂直吐出口３２を配置している。この構成例によれば、揚水ダクト２１の上端部まで水が到達した場合には、その水を上段の多数の垂直吐出口３２から吐出することができ、より高い位置から、より広範囲にわたって水を吐出することができる。
【００２７】
（吐出部の第７構成例）
図８に例示する構成例では、吐出部２２は、水平吐出口３１および垂直吐出口３２に加えて、さらに傾斜吐出口３４を備えている。傾斜吐出口３４は、水平方向以外の方向、この場合、水平方向に対して傾斜する方向に延びる非水平部の一例である。この場合、傾斜吐出口３４の全体が、傾斜する非水平部として機能する。この構成例によっても、水平方向に開口する水平部の高さの制限を受けることなく、非水平方向に開口する傾斜吐出口３４から、水の上昇量に応じた高さから水を吐出することができる。これにより、回転槽１４内に同時により多くの水を吐出することができ、洗濯物の洗浄性を一層高めることができる。
【００２８】
（吐出部の第８構成例）
図９に例示する構成例では、吐出部２２は、上段の水平吐出口３１を除き、全ての吐出口を傾斜吐出口３４としている。この構成例によっても、水平方向に開口する水平部の高さの制限を受けることなく、非水平方向に開口する傾斜吐出口３４から、水の上昇量に応じた高さから水を吐出することができる。これにより、回転槽１４内に同時により多くの水を吐出することができ、洗濯物の洗浄性を一層高めることができる。
【００２９】
また、揚水ダクト２１の上端部まで水が到達した場合には、その水を上段の水平吐出口３１から吐出することができ、より高い位置から、より広範囲にわたって水を吐出することができる。
なお、図１０に例示するように、この第８構成例においては、傾斜吐出口３４を揚水ダクト２１の長手方向に沿って複数配列し、水の上昇量に応じた高さから水を吐出することができる非水平部の数を増やすようにしてもよい。
【００３０】
（吐出部の第９構成例）
図１１に例示する構成例では、吐出部２２は、水平吐出口３１および垂直吐出口３２に加えて、さらに水平方向湾曲吐出口３５を備えている。水平方向湾曲吐出口３５は、直線形状以外の形状である非直線形状に開口する非水平部の一例である。この場合、水平方向湾曲吐出口３５は、揚水ダクト２１の水平方向の左右両端部に分かれて２つ設けられている。そして、水平方向湾曲吐出口３５は、何れも、揚水ダクト２１の水平方向の端部に向かって膨らむように湾曲した形状となっている。
【００３１】
この構成例によれば、揚水ダクト２１内において主となる水流から水平方向に分かれるようにして分散する水が、水平方向湾曲吐出口３５の湾曲形状に沿って水平方向に広がるようにして吐出される。これにより、回転槽１４内の広範囲にわたって水を吐出することができ、洗濯物の洗浄性を一層高めることができる。
【００３２】
また、湾曲形状に開口する吐出口３５によれば、直線状に開口する吐出口に比べ、例えばコイン、爪楊枝、ヘアピンなどの異物が入りにくくなる。そのため、水平方向湾曲吐出口３５の開口幅は、直線状の吐出口の開口幅よりも大きくすることができ、つまり、水平方向湾曲吐出口３５の開口面積を、直線状の水平吐出口３１の開口面積よりも大きくすることができる。よって、水平方向湾曲吐出口３５を通過する水の流通抵抗を小さくすることができ、より多くの水を吐出することができる。
【００３３】
（吐出部の第１０構成例）
図１２に例示する構成例は、上述の第９構成例において、下段の水平吐出口３１の下方に、さらに水平方向湾曲吐出口３５を追加した構成となっている。この構成例によれば、水の上昇量に応じた高さから水を吐出することができる吐出口の開口面積をさらに大きく確保することができ、回転槽１４内に同時により多くの水を吐出することができるようになる。また、揚水ダクト２１内を上昇する水が下段の水平吐出口３１の高さに到達しない場合であっても、当該下段の水平吐出口３１よりも低い位置にある水平方向湾曲吐出口３５から水を吐出することができる。
【００３４】
（吐出部の第１１構成例）
図１３に例示する構成例では、吐出部２２は、上方向湾曲吐出口３６を備えている。上方向湾曲吐出口３６は、直線形状以外の形状である非直線形状に開口する非水平部の一例である。この場合、上方向湾曲吐出口３６は、揚水ダクト２１の垂直方向に沿って、上中下の３段に分かれて３つ設けられている。そして、上方向湾曲吐出口３６は、何れも、揚水ダクト２１の上端部に向かって膨らむように湾曲した形状となっている。
【００３５】
この構成例によれば、揚水ダクト２１内を上昇して上方向湾曲吐出口３６に到達した水は、当該上方向湾曲吐出口３６から、ドーム状に広く拡散するようにして吐出される。そのため、回転槽１４内の広範囲にわたって水を吐出することができ、洗濯物の洗浄性を一層高めることができる。また、上方向湾曲吐出口３６から吐出される水は、ドーム状に拡散するので、より多くの水が吐出されているように見せることができる。
【００３６】
また、上方向湾曲吐出口３６の下方には、揚水ダクト２１の水平方向の端部に向かって膨らむ水平方向湾曲吐出口３５が設けられている。さらに、水平方向湾曲吐出口３５は、揚水ダクト２１の左端部側に設けられるものと右端部側に設けられるものとで、その高さが異なっている。この構成によれば、上方向湾曲吐出口３６からドーム状に吐出される水の下方において、さらに、水平方向湾曲吐出口３５から水平方向に広がるように水が吐出される。また、水平方向湾曲吐出口３５から水平方向に広がるように吐出される水は、揚水ダクト２１の左右において、その高さが異なった態様となる。これにより、揚水ダクト２１の全体から水が垂直方向および水平方向の双方に広がるようにして吐出されるようになり、回転槽１４内の広範囲にわたって水を吐出することが可能となる。
【００３７】
（吐出部の第１２構成例）
図１４に例示する構成例では、吐出部２２は、デザイン吐出口３７を備えている。デザイン吐出口３７は、直線形状以外の形状である非直線形状に開口する非水平部の一例である。この場合、デザイン吐出口３７は、「ＳＨＯＷＥＲ」という文字をあしらったデザイン性を有する非直線形状となっている。この構成例によっても、水平方向に開口する水平部の高さの制限を受けることなく、非水平方向に開口するデザイン吐出口３７から、水の上昇量に応じた高さから水を吐出することができる。これにより、回転槽１４内に同時により多くの水を吐出することができ、洗濯物の洗浄性を一層高めることができる。
【００３８】
（吐出部の第１３構成例）
図１５に例示する構成例では、吐出部２２は、連続孔垂直吐出口３８を備えている。連続孔垂直吐出口３８は、複数の孔３８ａが水平方向以外の方向、この場合、垂直方向に連続的に、且つ、間欠的に配列された構成となっており、全体として見ると、垂直方向に延びた吐出口となっている。この連続孔垂直吐出口３８も、非水平部の一例である。即ち、本実施形態に係る非水平部は、１つの開口からなるものに限られるものではなく、全体として見た場合に水平方向以外の方向に延びる形態を実現するものも含む。
【００３９】
この構成例によっても、水平方向に開口する水平部の高さの制限を受けることなく、非水平方向に延びる連続孔垂直吐出口３８から、水の上昇量に応じた高さから水を吐出することができる。これにより、回転槽１４内に同時により多くの水を吐出することができ、洗濯物の洗浄性を一層高めることができる。
【００４０】
（吐出部の第１４構成例）
図１６に例示する構成例では、揚水ダクト２１は、回転槽１４の内方に向かって膨らむように湾曲している。そして、垂直吐出口３２は、揚水ダクト２１の湾曲面の法線方向に沿って開口している。この構成例によれば、揚水ダクト２１内の中心部を上昇する水の主流から水平方向に分かれるようにして分散する水が垂直吐出口３２から吐出されやすくなる。これにより、回転槽１４内の広範囲にわたって水を吐出することができ、洗濯物の洗浄性を一層高めることができる。
【００４１】
（吐出部の第１５構成例）
図１７に例示する構成例では、揚水ダクト２１の回転槽１４側の面２１ａは、回転槽１４の接線方向に沿う平面状となっている。そして、垂直吐出口３２は、揚水ダクト２１の回転槽１４側の面２１ａに対し傾斜する方向に沿って開口している。この場合、垂直吐出口３２は、揚水ダクト２１の中心側から水平方向の端部側に向かって広がるように傾斜している。この構成例によれば、揚水ダクト２１内の中心部を上昇する水の主流から水平方向に分かれるようにして分散する水が垂直吐出口３２から吐出されやすくなる。これにより、回転槽１４内の広範囲にわたって水を吐出することができ、洗濯物の洗浄性を一層高めることができる。
【００４２】
（吐出部の第１６構成例）
図１８に例示する構成例では、回転槽１４の内周面に、複数、この場合、３つの揚水ダクト２１が備えられている。そして、これら揚水ダクト２１に設けられる吐出部２２は、それぞれ異なる配置パターンにより吐出口を配置している。また、これら揚水ダクト２１は、それぞれ異なる高さに吐出部２２を備えている。この構成例によれば、揚水ダクト２１ごとに、吐出される水の吐出パターンおよび吐出高さを異ならせることができる。これにより、回転槽１４内に複数のパターンにより水を吐出することができ、洗濯物の洗浄性を一層高めることができる。
【００４３】
（その他の構成例）
吐出部２２の構成例は、上述した複数の構成例に限られるものではなく、例えば、次のように拡張または変更してもよい。
例えば、吐出部２２は、複数の吐出口のうち少なくとも１つを、非水平部を有する吐出口とした構成とすればよく、この条件を満たすのであれば、種々の構成を採用することができる。また、吐出部２２は、上述した複数の構成例を組み合わせた構成としてもよい。
【００４４】
また、非水平部は、上述した直線状のスリット形状、湾曲形状などに限定されるものではなく、水平方向以外の方向に開口するのであれば、例えば波形状などの種々の形状を採用することができる。また、吐出部２２は、揚水ダクト２１の下端部に向かって膨らむように湾曲する下方向湾曲吐出口を備える構成としてもよい。
また、図１０に例示する第８構成例の変形例において示した、非水平部の数を極力増やすようにするという思想は、他の構成例にも適用することができる。また、図１５に例示する第１３構成例において示した、吐出口を複数の孔により構成するという思想は、他の構成例にも適用することができる。
【００４５】
本実施形態に係る洗濯機によれば、揚水ダクト内を上昇する水を回転槽内に吐出する吐出口は、水平方向以外の方向に延びる非水平部を有する。この構成によれば、吐出口の高さの制限を受けることなく、水の上昇量に応じた高さから水を吐出することができる。
【００４６】
なお、本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００４７】
図面中、１０は洗濯機、１２は水槽、１４は回転槽、１５はパルセータ、１６は裏羽根、２１は揚水ダクト、３１は水平吐出口（吐出口、水平部）、３２は垂直吐出口（吐出口、非水平部）、３３は混合吐出口（吐出口、非水平部）、３４は傾斜吐出口（吐出口、非水平部）、３５は水平方向湾曲吐出口（吐出口、非水平部）、３６は上方向湾曲吐出口（吐出口、非水平部）、３７はデザイン吐出口（吐出口、非水平部）、３８は連続孔垂直吐出口（吐出口、非水平部）を示す。
【図１】
2017196030.tif 000003
【図２】
2017196030.tif 000004
【図３】
2017196030.tif 000005
【図４】
2017196030.tif 000006
【図５】
2017196030.tif 000007
【図６】
2017196030.tif 000008
【図７】
2017196030.tif 000009
【図８】
2017196030.tif 000010
【図９】
2017196030.tif 000011
【図１０】
2017196030.tif 000012
【図１１】
2017196030.tif 000013
【図１２】
2017196030.tif 000014
【図１３】
2017196030.tif 000015
【図１４】
2017196030.tif 000016
【図１５】
2017196030.tif 000017
【図１６】
2017196030.tif 000018
【図１７】
2017196030.tif 000019
【図１８】
2017196030.tif 000020